(57)【要約】【課題】  ディスプレイを有する情報技術機器から放射される、情報を含んだ漏洩電磁波に対し、具体的な情報漏洩対策を施すことが可能な評価情報を容易かつ短時間で得られるようにする。【解決手段】  情報を含んだ漏洩電磁波評価システムは、評価対象機器から放射される漏洩電磁波のうち、ディスプレイに表示した情報成分を含んだ漏洩電磁波の放射源を可視化するものである。ディスプレイに周期構造を持った評価用画像を表示させ、漏洩電磁波を測定すると、その表示画像成分のスペクトルが観測できる。このことを利用して、評価用画像と無地画像を表示したときのスペクトルのレベル差を観測し、漏洩電磁波中に情報が含まれているか否かの判定を行う。ディスプレイ上に、任意の周波数成分を持った画像を表示し、結果として、所望の周波数成分を持った漏洩電磁波を意図的に放射させ、機器周囲の漏洩電磁波のレベルを順に測定することにより、情報を含んだ漏洩電磁波の成分の放射源と、その電界強度を特定する。【選択図】      図４
2010190708.tif 000002
【特許請求の範囲】
【請求項１】
ディスプレイを有する評価対象機器からの情報を含んだ漏洩電磁波を評価する、情報を含んだ漏洩電磁波評価システムにおいて、
無地画像を上記評価対象機器のディスプレイに表示させ、その表示時に捕捉した漏洩電磁波のスペクトル分析結果を得る無地画像表示・分析スペクトル取込手段と、
所定模様を有し、その模様が時間経過と共に変化する時間変化画像を、評価対象機器のディスプレイに表示させ、その表示時に捕捉した漏洩電磁波のスペクトル分析結果を得る時間変化画像表示・分析スペクトル取込手段と、
得られた２種類のスペクトル分析結果の差分を算出するスペクトル差分算出手段と、
スペクトル分析結果の差分に基づき、漏洩電磁波の中で情報漏洩に働く周波数成分を決定する情報漏洩成分決定手段と
を有することを特徴とする情報を含んだ漏洩電磁波評価システム。
【請求項２】
上記情報漏洩成分決定手段が決定した周波数成分を上記評価対象機器から放射させる、上記所定模様を有する放射源探索用画像を定めて、上記評価対象機器のディスプレイに表示させる放射源探索用画像表示手段と、
上記放射源探索用画像が上記評価対象機器のディスプレイに表示された状態で、所定ピッチ毎の測定点で捕捉した電界強度を取得する測定点探索用画像電界強度取得手段と、
測定点探索用画像を表示させた状態で取得した各測定点の電界強度を少なくとも用いて、上記情報漏洩成分決定手段が決定した周波数成分の放射源の位置情報を得て出力する放射源位置特定・出力手段と
をさらに有することを特徴とする請求項１に記載の情報を含んだ漏洩電磁波評価システム。
【請求項３】
無地画像を上記評価対象機器のディスプレイに表示させる無地画像表示手段と、
上記無地画像が上記評価対象機器のディスプレイに表示された状態で、所定ピッチ毎の測定点で捕捉した電界強度を取得する無地画像電界強度取得手段とをさらに有し、
上記放射源位置特定・出力手段は、上記放射源探索用画像を表示された状態での電界強度と、上記無地画像を表示させた状態での電界強度との差分を得、各測定点の電界強度の差分から、上記情報漏洩成分決定手段が決定した周波数成分の放射源の位置情報を得て出力する
ことを特徴とする請求項２に記載の情報を含んだ漏洩電磁波評価システム。
【請求項４】
ディスプレイを有する評価対象機器からの漏洩電磁波を評価する漏洩電磁波評価方法において、
無地画像表示・分析スペクトル取込手段が、無地画像を上記評価対象機器のディスプレイに表示させ、その表示時に捕捉した漏洩電磁波のスペクトル分析結果を得、
時間変化画像表示・分析スペクトル取込手段が、所定模様を有し、その模様が時間経過と共に変化する時間変化画像を、評価対象機器のディスプレイに表示させ、その表示時に捕捉した漏洩電磁波のスペクトル分析結果を得、
スペクトル差分算出手段が、得られた２種類のスペクトル分析結果の差分を算出し、
情報漏洩成分決定手段が、スペクトル分析結果の差分に基づき、漏洩電磁波の中で情報漏洩に働く周波数成分を決定する
ことを特徴とする漏洩電磁波評価方法。
【請求項５】
放射源探索用画像表示手段が、上記情報漏洩成分決定手段が決定した周波数成分を上記評価対象機器から放射させる、上記所定模様を有する放射源探索用画像を定めて、上記評価対象機器のディスプレイに表示させ、
測定点探索用画像電界強度取得手段が、上記放射源探索用画像が上記評価対象機器のディスプレイに表示された状態で、所定ピッチ毎の測定点で捕捉した電界強度を取得し、
放射源位置特定・出力手段が、測定点探索用画像を表示させた状態で取得した各測定点の電界強度を少なくとも用いて、上記情報漏洩成分決定手段が決定した周波数成分の放射源の位置情報を得て出力する
ことを特徴とする請求項４に記載の漏洩電磁波評価方法。
【請求項６】
無地画像表示手段が、無地画像を上記評価対象機器のディスプレイに表示させ、
無地画像電界強度取得手段が、上記無地画像が上記評価対象機器のディスプレイに表示された状態で、所定ピッチ毎の測定点で捕捉した電界強度を取得し、
上記放射源位置特定・出力手段が、上記放射源探索用画像を表示された状態での電界強度と、上記無地画像を表示させた状態での電界強度との差分を得、各測定点の電界強度の差分から、上記情報漏洩成分決定手段が決定した周波数成分の放射源の位置情報を得て出力する
ことを特徴とする請求項５に記載の漏洩電磁波評価方法。
【請求項７】
ディスプレイを有する評価対象機器からの情報を含んだ漏洩電磁波を評価するための漏洩電磁波評価プログラムであって、
コンピュータを、
無地画像を上記評価対象機器のディスプレイに表示させ、その表示時に捕捉した漏洩電磁波のスペクトル分析結果を得る無地画像表示・分析スペクトル取込手段と、
所定模様を有し、その模様が時間経過と共に変化する時間変化画像を、評価対象機器のディスプレイに表示させ、その表示時に捕捉した漏洩電磁波のスペクトル分析結果を得る時間変化画像表示・分析スペクトル取込手段と、
得られた２種類のスペクトル分析結果の差分を算出するスペクトル差分算出手段と、
スペクトル分析結果の差分に基づき、漏洩電磁波の中で情報漏洩に働く周波数成分を決定する情報漏洩成分決定手段と
して機能させることを特徴とする漏洩電磁波評価プログラム。
【請求項８】
上記コンピュータを、さらに、
上記情報漏洩成分決定手段が決定した周波数成分を上記評価対象機器から放射させる、上記所定模様を有する放射源探索用画像を定めて、上記評価対象機器のディスプレイに表示させる放射源探索用画像表示手段と、
上記放射源探索用画像が上記評価対象機器のディスプレイに表示された状態で、所定ピッチ毎の測定点で捕捉した電界強度を取得する測定点探索用画像電界強度取得手段と、
測定点探索用画像を表示させた状態で取得した各測定点の電界強度を少なくとも用いて、上記情報漏洩成分決定手段が決定した周波数成分の放射源の位置情報を得て出力する放射源位置特定・出力手段と
して機能させることを特徴とする請求項７に記載の漏洩電磁波評価プログラム。
【請求項９】
上記コンピュータを、さらに、
無地画像を上記評価対象機器のディスプレイに表示させる無地画像表示手段と、
上記無地画像が上記評価対象機器のディスプレイに表示された状態で、所定ピッチ毎の測定点で捕捉した電界強度を取得する無地画像電界強度取得手段として機能させると共に、
上記放射源位置特定・出力手段が、上記放射源探索用画像を表示された状態での電界強度と、上記無地画像を表示させた状態での電界強度との差分を得、各測定点の電界強度の差分から、上記情報漏洩成分決定手段が決定した周波数成分の放射源の位置情報を得て出力するものである
ことを特徴とする請求項８に記載の漏洩電磁波評価プログラム。
【発明の詳細な説明】
【技術分野】
【０００１】
本発明は情報を含んだ漏洩電磁波評価システム、方法及びプログラムに関し、例えば、ディスプレイを有する情報技術機器（ＩＴ機器）における、情報を盗み見ること（以下、盗視と呼ぶ）が可能な漏洩電磁波の放射源位置を特定する場合に適用し得るものである。
【背景技術】
【０００２】
ＩＴ機器は、通信を目的としない電磁波を機器自身が放射している。この不要な電磁波には、ＩＴ機器の情報信号が含まれているものもあり、機器から漏洩した電磁波を受信し、解析することで、第３者が情報を再現する恐れがある（非特許文献１）。仮に、他の機器との通信で暗号化通信を採用していたとしても、ディスプレイに表示する際には、所定方式に従うビデオ信号（画像信号）に戻されて表示され、このようなビデオ信号の成分を含む電磁波が放射された場合には、情報を盗視される可能性がある。ＶＣＣＩ（Ｖｏｌｕｎｔａｒｙ  Ｃｏｎｔｒｏｌ  Ｃｏｕｎｃｉｌ  ｆｏｒ  Ｉｎｔｅｒｆｅｒｅｎｃｅ  ｂｙ  Ｉｎｆｏｒｍａｔｉｏｎ  Ｔｅｃｈｎｏｌｏｇｙ  Ｅｑｕｉｐｍｅｎｔ）による自主規制措置があり、ＩＴ機器から放射される電磁波に対して許容値が示されている。また、ＣＩＳＰＲ（国際無線障害特別委員会）も、ＩＴ機器から放射される電磁波に対する許容値を定めている。しかし、許容値以下の漏洩電磁波であっても、情報を盗視し得ることもある。
【０００３】
従来、ディスプレイを有するＩＴ機器からの漏洩電磁波中に情報が含まれているか否かを判定するには、特別な測定器を使い、測定した漏洩電磁波から表示されている画像（情報）を再現する必要があった。そのため、一般のＥＭＣ（電磁環境適合性）試験施設であっても、漏洩電磁波中に情報が含まれているかどうかを判定することが困難であった。また、ディスプレイ上に表示した画像情報を特殊な測定器を使って再現する場合、観測した漏洩電磁波を解析するため、情報再現に時間がかかり、情報有無の判定に時間を費やすこととなる。
【０００４】
このような点に鑑み、特許文献１では、予め設定された特定周波数成分を含む画像情報を処理中のＩＴ機器から漏洩する漏洩電磁波を受信し、受信した漏洩電磁波から特定周波数成分を弁別し得るか否かでＩＴ機器が処理中の画像情報を盗視され得るか否かを評価することを記載している。
【先行技術文献】
【特許文献】
【０００５】
【特許文献１】特開２００５−２１４７７２号公報
【非特許文献】
【０００６】
【非特許文献１】「電磁波セキュリティガイドライン」、新情報セキュリティ技術研究会、平成１６年１０月８日
【発明の概要】
【発明が解決しようとする課題】
【０００７】
しかしながら、特許文献１の記載技術は、処理中の画像情報を盗視され得るか否かを評価するだけであり、漏洩電磁波に対する有効な対策を施すための評価情報としては不十分である。例えば、処理中の画像情報を盗視され得ることが分かったとしても、放射源が特定できていないので、対策を施すとしても、どの箇所に電磁シールドを施して良いか分からない。
【０００８】
すなわち、特許文献１の記載技術では、漏洩電磁波の放射源を特定し、その個所を電磁シールドしたり、設計を変更したり、他の設計に評価結果を反映させたりするようなことが難しい。
【０００９】
また、特許文献１の記載技術において、弁別できるか否かを問題としている特定周波数成分は、水平同期周波数や垂直同期周波数、若しくは、それらの高調波成分などであり、特定周波数成分が漏洩したからといって、情報の漏洩につながるとは限らず、評価結果の信頼性が低いということができる。
【００１０】
本発明は、以上の点に鑑みてなされたものであり、ディスプレイを有する情報技術機器からの漏洩電磁波に対し、情報漏洩に対する具体的な対策を施すことが可能な、信頼性の高い評価情報を容易かつ短時間で得ることができる情報を含んだ漏洩電磁波評価システム、方法及びプログラムを提供しようとしたものである。
【課題を解決するための手段】
【００１１】
請求項１に係る発明は、ディスプレイを有する評価対象機器からの情報を含んだ漏洩電磁波を評価する、情報を含んだ漏洩電磁波評価システムにおいて、無地画像を上記評価対象機器のディスプレイに表示させ、その表示時に捕捉した漏洩電磁波のスペクトル分析結果を得る無地画像表示・分析スペクトル取込手段と、所定模様を有し、その模様が時間経過と共に変化する時間変化画像を、評価対象機器のディスプレイに表示させ、その表示時に捕捉した漏洩電磁波のスペクトル分析結果を得る時間変化画像表示・分析スペクトル取込手段と、得られた２種類のスペクトル分析結果の差分を算出するスペクトル差分算出手段と、スペクトル分析結果の差分に基づき、漏洩電磁波の中で情報漏洩に働く周波数成分を決定する情報漏洩成分決定手段とを有することを特徴とする。
【００１２】
請求項２に係る発明は、請求項１に係る発明の情報を含んだ漏洩電磁波評価システムにおいて、上記情報漏洩成分決定手段が決定した周波数成分を上記評価対象機器から放射させる、上記所定模様を有する放射源探索用画像を定めて、上記評価対象機器のディスプレイに表示させる放射源探索用画像表示手段と、上記放射源探索用画像が上記評価対象機器のディスプレイに表示された状態で、所定ピッチ毎の測定点で捕捉した電界強度を取得する測定点探索用画像電界強度取得手段と、測定点探索用画像を表示させた状態で取得した各測定点の電界強度を少なくとも用いて、上記情報漏洩成分決定手段が決定した周波数成分の放射源の位置情報を得て出力する放射源位置特定・出力手段とをさらに有することを特徴とする。
【００１３】
請求項３に係る発明は、請求項２に係る発明の情報を含んだ漏洩電磁波評価システムにおいて、無地画像を上記評価対象機器のディスプレイに表示させる無地画像表示手段と、上記無地画像が上記評価対象機器のディスプレイに表示された状態で、所定ピッチ毎の測定点で捕捉した電界強度を取得する無地画像電界強度取得手段とをさらに有し、上記放射源位置特定・出力手段は、上記放射源探索用画像を表示された状態での電界強度と、上記無地画像を表示させた状態での電界強度との差分を得、各測定点の電界強度の差分から、上記情報漏洩成分決定手段が決定した周波数成分の放射源の位置情報を得て出力することを特徴とする。
【００１４】
請求項４に係る発明は、ディスプレイを有する評価対象機器からの情報を含んだ漏洩電磁波を評価する漏洩電磁波評価方法において、無地画像表示・分析スペクトル取込手段が、無地画像を上記評価対象機器のディスプレイに表示させ、その表示時に捕捉した漏洩電磁波のスペクトル分析結果を得、時間変化画像表示・分析スペクトル取込手段が、所定模様を有し、その模様が時間経過と共に変化する時間変化画像を、評価対象機器のディスプレイに表示させ、その表示時に捕捉した漏洩電磁波のスペクトル分析結果を得、スペクトル差分算出手段が、得られた２種類のスペクトル分析結果の差分を算出し、情報漏洩成分決定手段が、スペクトル分析結果の差分に基づき、漏洩電磁波の中で情報漏洩に働く周波数成分を決定することを特徴とする。
【００１５】
請求項５に係る発明は、請求項４に係る発明の漏洩電磁波評価方法において、放射源探索用画像表示手段が、上記情報漏洩成分決定手段が決定した周波数成分を上記評価対象機器から放射させる、上記所定模様を有する放射源探索用画像を定めて、上記評価対象機器のディスプレイに表示させ、測定点探索用画像電界強度取得手段が、上記放射源探索用画像が上記評価対象機器のディスプレイに表示された状態で、所定ピッチ毎の測定点で捕捉した電界強度を取得し、放射源位置特定・出力手段が、測定点探索用画像を表示させた状態で取得した各測定点の電界強度を少なくとも用いて、上記情報漏洩成分決定手段が決定した周波数成分の放射源の位置情報を得て出力することを特徴とする。
【００１６】
請求項６に係る発明は、請求項５に係る発明の漏洩電磁波評価方法において、無地画像表示手段が、無地画像を上記評価対象機器のディスプレイに表示させ、無地画像電界強度取得手段が、上記無地画像が上記評価対象機器のディスプレイに表示された状態で、所定ピッチ毎の測定点で捕捉した電界強度を取得し、上記放射源位置特定・出力手段が、上記放射源探索用画像を表示された状態での電界強度と、上記無地画像を表示させた状態での電界強度との差分を得、各測定点の電界強度の差分から、上記情報漏洩成分決定手段が決定した周波数成分の放射源の位置情報を得て出力することを特徴とする。
【００１７】
請求項７に係る発明は、ディスプレイを有する評価対象機器からの情報を含んだ漏洩電磁波を評価するための漏洩電磁波評価プログラムであって、コンピュータを、無地画像を上記評価対象機器のディスプレイに表示させ、その表示時に捕捉した漏洩電磁波のスペクトル分析結果を得る無地画像表示・分析スペクトル取込手段と、所定模様を有し、その模様が時間経過と共に変化する時間変化画像を、評価対象機器のディスプレイに表示させ、その表示時に捕捉した漏洩電磁波のスペクトル分析結果を得る時間変化画像表示・分析スペクトル取込手段と、得られた２種類のスペクトル分析結果の差分を算出するスペクトル差分算出手段と、スペクトル分析結果の差分に基づき、漏洩電磁波の中で情報漏洩に働く周波数成分を決定する情報漏洩成分決定手段として機能させることを特徴とする。
【００１８】
請求項８に係る発明は、請求項７に係る発明の漏洩電磁波評価プログラムにおいて、上記コンピュータを、さらに、上記情報漏洩成分決定手段が決定した周波数成分を上記評価対象機器から放射させる、上記所定模様を有する放射源探索用画像を定めて、上記評価対象機器のディスプレイに表示させる放射源探索用画像表示手段と、上記放射源探索用画像が上記評価対象機器のディスプレイに表示された状態で、所定ピッチ毎の測定点で捕捉した電界強度を取得する測定点探索用画像電界強度取得手段と、測定点探索用画像を表示させた状態で取得した各測定点の電界強度を少なくとも用いて、上記情報漏洩成分決定手段が決定した周波数成分の放射源の位置情報を得て出力する放射源位置特定・出力手段として機能させることを特徴とする。
【００１９】
請求項９に係る発明は、請求項８に係る発明の漏洩電磁波評価プログラムにおいて、上記コンピュータを、さらに、無地画像を上記評価対象機器のディスプレイに表示させる無地画像表示手段と、上記無地画像が上記評価対象機器のディスプレイに表示された状態で、所定ピッチ毎の測定点で捕捉した電界強度を取得する無地画像電界強度取得手段として機能させると共に、上記放射源位置特定・出力手段が、上記放射源探索用画像を表示された状態での電界強度と、上記無地画像を表示させた状態での電界強度との差分を得、各測定点の電界強度の差分から、上記情報漏洩成分決定手段が決定した周波数成分の放射源の位置情報を得て出力するものであることを特徴とする。
【発明の効果】
【００２０】
本発明によれば、ディスプレイを有する情報技術機器から放射される、情報を含んだ漏洩電磁波に対し、具体的な情報漏洩対策を施すことが可能な、信頼性が高い評価情報を容易かつ短時間で得ることができるようになる。
【図面の簡単な説明】
【００２１】
【図１】第１の実施形態に係る情報を含んだ漏洩電磁波評価システムの全体構成を示すブロック図である。
【図２】第１の実施形態の成分探索モードにおけるアンテナと評価対象機器との位置関係を示す説明図である。
【図３】第１の実施形態の位置特定モードにおけるアンテナと評価対象機器との相対的な移動方法を示す説明図である。
【図４】第１の実施形態に係る評価装置本体の漏洩電磁波評価機能に係る内部構成を示す機能ブロック図である。
【図５】画素クロック周波数の説明に利用する説明図である。
【図６】１ＭＨｚの周波数成分を有する表示画像と、観測される漏洩電磁波の周波数成分との関係を示すグラフである。
【図７】３ＭＨｚの周波数成分を有する表示画像と、観測される漏洩電磁波の周波数成分との関係を示すグラフである。
【図８】５ＭＨｚの周波数成分を有する表示画像と、観測される漏洩電磁波の周波数成分との関係を示すグラフである。
【図９】黒画像と、観測される漏洩電磁波の周波数成分との関係を示すグラフである。
【図１０】縦縞画像及び横縞画像を示す説明図である。
【図１１】第１の実施形態の情報を含んだ漏洩電磁波評価システムにおける成分探索モードでの動作を示すフローチャートである。
【図１２】白画像を、ある評価対象機器のディスプレイ上に表示したときのスペクトル分析結果を示すグラフである。
【図１３】黒画像を、ある評価対象機器のディスプレイ上に表示したときのスペクトル分析結果を示すグラフである。
【図１４】時間変化画像を、ある評価対象機器のディスプレイ上に表示したときのスペクトル分析結果を示すグラフである。
【図１５】図１４の時間変化画像のスペクトル分析結果から図１２の白画像のスペクトル分析結果を減算した結果を示すグラフである。
【図１６】図１４の時間変化画像のスペクトル分析結果から図１３の黒画像のスペクトル分析結果を減算した結果を示すグラフである。
【図１７】第１の実施形態の情報を含んだ漏洩電磁波評価システムにおける位置特定モードでの動作を示すフローチャートである。
【図１８】第１の実施形態の情報を含んだ漏洩電磁波評価システムにおける等高線図の表示出力例を示す説明図である。
【発明を実施するための形態】
【００２２】
（Ａ）主たる実施形態
以下、本発明による情報を含んだ漏洩電磁波評価システム、方法及びプログラムの一実施形態を、図面を参照しながら説明する。
【００２３】
（Ａ−１）実施形態の構成
図１は、実施形態の情報を含んだ漏洩電磁波評価システムの全体構成を示すブロック図である。
【００２４】
図１において、実施形態の情報を含んだ漏洩電磁波評価システム１は、情報漏洩の評価対象機器２における情報漏洩に寄与する漏洩電磁波の放射源位置を可視化しようとしたものであり、大きくは、評価装置本体１０と、アンテナ１１と、アンテナコントローラ１２と、スペクトラムアナライザ（以下、スペアナと略す）１３とを有する。
【００２５】
評価対象機器２は、ディスプレイを有するＩＴ機器であれば良く、その種類は問われないが、以下では、説明の便宜のため、水平方向、垂直方向が１０２４×７６８画素（ＸＧＡ）の解像度を有し、水平同期周波数ｆｈが４８．５ｋＨｚ、垂直同期周波数ｆｖが６０Ｈｚのノートパソコンであるとする。
【００２６】
評価装置本体１０は、パソコンなどの情報処理装置である。評価装置本体１０は、評価対象機器２のディスプレイに、後述する情報漏洩周波数探索画像や、放射源探索画像や、無地画像を表示させるものである。また、評価装置本体１０は、アンテナコントローラ１２に対して、アンテナ１１の制御を指示すると共に、指向性アンテナ１１が捕捉した漏洩電磁波の受信信号をスペアナ１３より取り込むものである。評価装置本体１０は、以上のように、評価対象機器２や、周囲のアンテナコントローラ１２及びスペアナ１３を制御しながら、評価対象機器２からの情報漏洩に寄与する漏洩電磁波の周波数成分を探索したり、評価対象機器２からの情報漏洩に寄与する漏洩電磁波の放射源位置を得たりするものである。
【００２７】
実施形態の情報を含んだ漏洩電磁波評価システム１における動作モードとして、第１に、評価対象機器２からの情報漏洩に寄与する漏洩電磁波の周波数成分を探索するモードがあり、第２に、評価対象機器２からの情報漏洩に寄与する漏洩電磁波の放射源位置を得るモードがある。以下では、前者を成分探索モードと呼び、後者を位置特定モードと呼ぶ。
【００２８】
アンテナ１１は、アンテナコントローラ１２の制御下で、評価対象機器２からの漏洩電磁波を捕捉するものである。アンテナ１１として、異なるアンテナを接続し直して、成分探索モードと、位置特定モードとに対応させるようにしても良く、同一のアンテナを、成分探索モードと位置特定モードとで利用するようにしても良い。
【００２９】
アンテナ１１は、成分探索モードでは、評価対象機器２の全面からの漏洩電磁波を捕捉できるように指向性若しくは位置などが制御される。図２は、成分探索モードにおける、アンテナ１１と評価対象機器２との位置関係を示す説明図である。評価対象機器２は、漏洩電磁波の測定（捕捉）に影響を与えないように木製の測定台３に載置され、評価対象機器２の正面側に、例えば、１ｍ離間してアンテナ１１が配置され、成分探索モードにおける漏洩電磁波の探索を行う。
【００３０】
アンテナ１１は、位置特定モードでは、評価対象機器２に接近した状態で、図３に示すように、左右に交互に移動しながら、かつ、徐々に下方に向かうようにスキャンニングされる。このような移動をアンテナコントローラ１２が制御して実行する。なお、アンテナ１１を移動させる代わりに、評価対象機器２側を移動させるようにしても良い。また例えば、複数のアンテナを縦横に配置したアンテナアレイを評価対象機器２に接近させ、アンテナコントローラ１２が、アレイを構成する一つ一つが捕捉した漏洩電磁波を切り替え、スペアナ１３を通して評価装置本体１０に与えるようにしても良い。位置特定モードでは、例えば、縦横１〜５ｃｍステップずつ異なる多数の点を測定点として、アンテナ１１が漏洩電磁波を捕捉するようにする。
【００３１】
アンテナコントローラ１２は、上述のように、評価装置本体１０の指令に応じて、アンテナ１１を制御すると共に、アンテナ１１が捕捉した漏洩電磁波の受信信号をスペアナ１３に与えるものである。
【００３２】
スペアナ１３は、アンテナ１１が捕捉した漏洩電磁波の受信信号に対して周波数分析を行い、その分析結果を評価装置本体１０に与えるものである。
【００３３】
上述した評価装置本体１０は、パソコンなどの情報処理装置に、実施形態の漏洩電磁波評価プログラムをインストールすることにより、評価装置本体１０として機能するものである。
【００３４】
図４は、評価装置本体１０の漏洩電磁波評価機能に係る内部構成を示す機能ブロック図であり、各ブロックは、実施形態の漏洩電磁波評価プログラムの各部分プログラムに対応している。
【００３５】
図４において、評価装置本体１０は、機能的には、無地画像表示・分析スペクトル取込部２０、時間変化画像表示・分析スペクトル取込部２１、スペクトル差分算出部２２、位置特定モード利用周波数決定部２３、放射源探索用画像表示部２４、測定点探索用画像電界強度取得部２５、無地画像表示部２６、測定点無地画像電界強度取得部２７、等高線図作成部２８及び等高線図出力部２９を有する。
【００３６】
ここで、無地画像表示・分析スペクトル取込部２０、時間変化画像表示・分析スペクトル取込部２１、スペクトル差分算出部２２及び位置特定モード利用周波数決定部２３が成分探索モードで機能するものであり、放射源探索用画像表示部２４、測定点探索用画像電界強度取得部２５、無地画像表示部２６、測定点無地画像電界強度取得部２７、等高線図作成部２８及び等高線図出力部２９が位置特定モードで機能するものである。
【００３７】
無地画像表示・分析スペクトル取込部２０は、白画像（若しくは黒画像）が該当する無地画像を評価対象機器２のディスプレイに表示させ、アンテナ１１が捕捉した漏洩電磁波の受信信号のスペクトル分析結果を取得するものである。
【００３８】
時間変化画像表示・分析スペクトル取込部２１は、白黒の縦縞（若しくは横縞）の幅が時間経過と共に変化する時間変化画像を評価対象機器２のディスプレイに表示させ、アンテナ１１が捕捉した漏洩電磁波の受信信号のスペクトル分析結果を取得するものである。
【００３９】
スペクトル差分算出部２２は、２種類のスペクトル分析結果の差分を算出するものである。
【００４０】
位置特定モード利用周波数決定部２３は、算出された差分の中で、最も大きい差分の周波数を、位置特定モードで利用する周波数として決定するものである。
【００４１】
放射源探索用画像表示部２４は、位置特定モードで利用すると決定された周波数と、その周波数近傍の画素クロック周波数の高調波成分との周波数差に応じた縦縞（若しくは横縞）を有する画像（以下、放射源探索用画像と呼ぶ）を、評価対象機器２のディスプレイに表示させるものである。
【００４２】
測定点探索用画像電界強度取得部２５は、放射源探索用画像が評価対象機器２のディスプレイに表示された状態で、アンテナ１１が捕捉した、所定ピッチ毎の測定点の電界強度を取得するものである。
【００４３】
無地画像表示部２６は、位置特定モードにおいて、白画像（若しくは黒画像）が該当する無地画像を評価対象機器２のディスプレイに表示させものである。
【００４４】
測定点無地画像電界強度取得部２７は、無地画像が評価対象機器２のディスプレイに表示された状態で、アンテナ１１が捕捉した、所定ピッチ毎の測定点の電界強度を取得するものである。
【００４５】
等高線図作成部２８は、各測定点のそれぞれについて、測定点探索用画像を表示させた状態での電界強度と、無地画像を表示させた状態での電界強度との差分を得、各測定点の電界強度の差分から、等高線図を作成するものである。
【００４６】
等高線図出力部２９は、作成された等高線図を出力するものである。出力は、印刷出力でも表示出力でも転送出力であっても良い。例えば、表示出力の場合には、図示しないＣＣＤカメラなどで撮像した撮像画像に、等高線図を重ね合わせて表示するようにしても良い。
【００４７】
（Ａ−２）実施形態の動作
実施形態の情報を含んだ漏洩電磁波評価システムの動作（漏洩電磁波評価方法）を説明する前に、実施形態の評価方法に到達した考え方などを説明する。
【００４８】
評価対象機器２からの漏洩電磁波は、ノイズ成分に加え、機器の画面構成（例えば、ＸＧＡ）などによって定まる固有の画素クロック周波数の成分（基本成分だけでなく高調波成分を含む）と、表示画像に依存した情報成分とが重畳されたものである。
【００４９】
図５は、画素クロック周波数の説明に利用する説明図である。ディスプレイは、図５（Ａ）に示すように、画素（Ｐｉｘｅｌ；カラー用の場合、ＲＧＢ用で１画素）単位に表示を行うものであり、図５（Ｂ）に示すように、画素ごとの表示が全体として表示画像を形成する。ディスプレイの表示画像のうち、ユーザに視認されるのは水平・垂直方向ｘｄ×ｙｄ画素であるが、ディスプレイは、図５（Ｃ）に示すように、それより広い水平・垂直方向ｘｔ×ｙｔ画素に対して駆動動作を行う。水平方向の画素の切換えは水平同期周波数ｆｈに従ってなされ、垂直方向の画素の切換えは垂直同期周波数ｆｖに従ってなされる。画素クロック周波数は、１秒間に点灯することのできる画素の数であり、水平方向の画素数ｘｔに水平同期周波数ｆｈを乗ずることにより、計算することができる。例えば、１０２４×４８．５ｋＨｚ≒５０ＭＨｚである。
【００５０】
漏洩電磁波から、画素クロック周波数の成分の存在に拘らず、表示画像に依存した情報成分を弁別できることが好ましい。
【００５１】
図６〜図８はそれぞれ、１、３、５ＭＨｚの周波数成分を有する画像を表示した際のノートパソコンから放射される漏洩電磁波のスペクトルの測定結果を示し、図９は黒画像を表示した際のノートパソコンから放射される漏洩電磁波のスペクトルの測定結果を示している。このノートパソコンの画素クロック周波数の高調波成分は３２５ＭＨｚである。図６〜図８ではそれぞれ、画素クロック周波数の高調波成分と、１、３又は５ＭＨｚごとののスペクトルとが観測されている。黒画像（無地画像）は情報が漏洩されることがないものである。図９では画素クロック周波数の高調波成分だけが観測されている。
【００５２】
これら図面から、表示画像に依存した情報成分を含んだ漏洩電磁波も、無地画像であって情報成分を含まない漏洩電磁波も、画素クロック周波数の成分（高調波成分）を含むことが分かる。さらに、２つの漏洩電磁波のスペクトラムの差分をとれば、画素クロック周波数の成分（高調波成分）が相殺されることが分かる。
【００５３】
今日、パソコンなどで表示される多くの画像は、文字列を配置したテキスト画像である。テキスト画像は、水平方向の１ラインをみても、垂直方向の１ラインをみても、白画素と黒画素とが混在するものとなる。今日のパソコンは、漏洩電磁波が少なくなるような対策が施されているが、放射量が多い周波数成分があり、このような周波数成分から情報が漏洩される恐れがある。このような情報漏洩に大きく寄与する成分を見つけるため、時間変化画像を利用することとした。
【００５４】
ここで、時間変化画像とは、白と黒の同じ太さの線を１対とし、この対を複数有する、図１０（Ａ）に示すような縦縞画像若しくは図１０（Ｂ）に示すように横縞画像であって、ディスプレイをリフレッシュする時間（１／６０Ｈｚ＝１６．７ｍｓ）ごとに、その線の幅を広げていくことにより、画像の周波数を変えている（放射される漏洩電磁波の周波数成分を変えている）画像である。また、表示画像の周波数成分は、水平同期周波数や垂直同期周波数に、ディスプレイ上に表示した白、黒の線の対の数を乗ずることにより計算することができる。例えば、以下の通りである。
【００５５】
縦縞模様＝水平同期周波数×白と黒の線の対の数
＝４８．５ｋＨｚ×３０対＝１．４５５ＭＨｚ
横縞模様＝垂直同期周波数×白と黒の線の対の数
＝６０Ｈｚ×３０対＝１．８ｋＨｚ
なお、水平同期周波数より高い周波数成分を画像に持たせるには縦縞の画像とし、水平同期周波数成分より低い周波数成分を画像に持たせるには横縞の画像とする必要がある。また、時間変化画像における画像の周波数を変化させるには、線の幅を広げていくだけでなく、例えば、中央部から外側に向かって、白と黒の線の対の数を増やしていく方法を用いることもできる。
【００５６】
縦縞画像や横縞画像と、表示画像の周波数成分とには以上のような関係があるので、情報漏洩に大きく寄与する周波数成分が判明した場合には、その成分を多く含む画像（縦縞画像や横縞画像）を定めることができる。
【００５７】
次に、実施形態の情報を含んだ漏洩電磁波評価システムの動作（漏洩電磁波評価方法）を、成分探索モードの動作、位置特定モードの動作の順に説明する。
【００５８】
図１１は、成分探索モードの動作の流れを示すフローチャートである。図１１におけるステップ間の移行（次のステップへの移行）は、評価装置本体１０が自動的に行っても良く、評価装置本体１０がオペレータの操作を待って移行するようにしても良い。
【００５９】
評価装置本体１０は、無地画像を評価対象機器２のディスプレイに表示させ、アンテナ１１が捕捉した漏洩電磁波の受信信号をスペアナ１３に与えて分析させ、無地画像のスペクトル分析結果を取得する（ステップ１００）。
【００６０】
また、評価装置本体１０は、時間変化画像を評価対象機器２のディスプレイに表示させ、アンテナ１１が捕捉した漏洩電磁波の受信信号をスペアナ１３に与えて分析させ、時間変化画像のスペクトル分析結果を取得する（ステップ１０１）。
【００６１】
そして、評価装置本体１０は、時間変化画像のスペクトル分析結果から無地画像のスペクトル分析結果を減算した、差分スペクトル分析結果を算出し（ステップ１０２）、算出された差分スペクトル分析結果の中で、差分が最も大きい周波数を、位置特定モードで利用する周波数として決定する（ステップ１０３）。
【００６２】
図１２〜図１４はそれぞれ、白画像、黒画像、時間変化画像を、ある評価対象機器２のディスプレイ上に表示したときのスペクトル分析結果を示している。図１５は、時間変化画像のスペクトル分析結果から白画像のスペクトル分析結果を減算した結果を示し、図１６は、時間変化画像のスペクトル分析結果から黒画像のスペクトル分析結果を減算した結果を示している。図１６から、３５５ＭＨｚのレベル差が大きいことが確認でき、位置特定モードで利用する周波数として決定する。なお、図１５や図１６から、３５５ＭＨｚ以外にも、情報を含んだ漏洩電磁波が観測されており、このような周波数成分も位置特定モードの動作の対象とするようにしても良い。
【００６３】
図１７は、位置特定モードの動作の流れを示すフローチャートである。図１７におけるステップ間の移行（次のステップへの移行）は、評価装置本体１０が自動的に行っても良く、評価装置本体１０がオペレータの操作を待って移行するようにしても良い。
【００６４】
評価装置本体１０は、位置特定モードではまず、位置特定モードで利用すると決定された周波数と、その周波数近傍の画素クロック周波数の高調波成分との周波数差に応じた縞模様を有する放射源探索用画像を、評価対象機器２のディスプレイに表示させる（ステップ２００）。
【００６５】
その後、評価装置本体１０は、アンテナコントローラ１２にスキャニングを指示し、アンテナコントローラ１２の制御下でアンテナ１１がスキャニングしながら、放射源探索用画像の表示状態で、各測定点で得た電界強度を取得する（ステップ２０１）。
【００６６】
また、評価装置本体１０は、無地画像を評価対象機器２のディスプレイに表示させる（ステップ２０２）。その後、評価装置本体１０は、アンテナコントローラ１２にスキャニングを指示し、アンテナコントローラ１２の制御下でアンテナ１１がスキャニングしながら、無地画像の表示状態で、各測定点で得た電界強度を取得する（ステップ２０３）。
【００６７】
以上のようにして、各測定点のそれぞれについて、測定点探索用画像を表示させた状態での電界強度と、無地画像を表示させた状態での電界強度とが得られると、評価装置本体１０は、その差分を得、各測定点の電界強度の差分から、等高線図を作成し（ステップ２０４）、作成された等高線図を例えば表示出力させる（ステップ２０５）。
【００６８】
上述したように、図１６から、３５５ＭＨｚのレベル差が大きいことが確認でき、位置特定モードで利用する周波数として決定したとする。この図１６からは、３７３ＭＨｚが画素クロック周波数の高調波成分（第７高調波）であることが予想される。画素クロック周波数の成分３７３ＭＨｚとレベル差の大きい周波数３５５ＭＨｚの差を取ることにより、放射し易い画像の周波数成分が予想でき、図１６の例の場合、その値は１８ＭＨｚである。表示画像に１８ＭＨｚの周波数成分を持たせるためには、１８ＭＨｚを水平同期周波数で割り、その値の数の対の縞模様を使うことにより作成できる。例えば、水平同期周波数が４８．５ｋＨｚの場合、白と黒が３７１対になっている縦縞画像を、放射源探索用画像として適用する。
【００６９】
（Ａ−３）実施形態の効果
上記実施形態によれば、情報を含んだ漏洩電磁波から放射し易い周波数成分を容易かつ短時間で見つけることができる。また、情報を含んだ漏洩電磁波における放射し易い周波数成分の放射源位置や強度を容易かつ短時間に特定することができる。
【００７０】
情報を含んだ漏洩電磁波の「放射源とその強度」を特定できるので、情報漏洩に対する対策を的確に実行することができ、対策後の評価も簡便に行うことができる。例えば、開発、設計段階であれば、開発期間、対策と評価のフィードバック時間を大幅に短縮することができる。
【００７１】
なお、上記実施形態においては、情報を含んだ漏洩電磁波における放射し易い周波数成分の強度として、放射源探索用画像を適用して得た電界強度と、無地画像を適用して得た電界強度との差分で示しているので、その値をＳ／Ｎ比で表現することができ、評価対象機器の種類によらずに客観的に評価し得るものとなっている。
【００７２】
（Ｂ）他の実施形態
上記実施形態の説明においても、種々変形実施形態に言及したが、さらに、以下に例示するような変形実施形態を挙げることができる。
【００７３】
上記実施形態においては、同一の評価装置本体１０が、成分探索モードの動作と、位置特定モードの動作とを行うものを示したが、成分探索モードの動作と、位置特定モードの動作とを別個の装置が実行するようにしても良い。
【００７４】
上記実施形態の説明では、縦縞画像又は横縞画像の一方のみを利用して、成分探索モードの動作と位置特定モードの動作とを実行するように説明したが、縦縞画像に対する処理と、横縞画像に対する処理とを時間順次に行うようにしても良い。また、白矩形と黒矩形が交互に配置された、縦縞画像及び横縞画像が混合された市松模様の画像を利用するようにしても良い。無地画像の白画像や黒画像に限定されず、灰色画像を適用するようにしても良い。
【００７５】
上記実施形態では、成分探索モードでは１つの周波数成分だけを探索（抽出）するものを示したが、複数の周波数成分を特定するようにしても良い。例えば、レベル差が大きい順に予め決められた数だけ周波数成分を抽出するようにしても良く、また、レベル差が所定の閾値以上の周波数成分を全て抽出するようにしても良い。成分探索モードで複数の周波数成分を探索（抽出）した場合には、位置特定モードでは、周波数成分毎の位置特定動作（等高線図の作成、出力）を順次繰り返す。なお、所定の条件を満たす周波数成分が、成分探索モードで１つも探索（抽出）できなかった場合には、位置特定モードの動作を省略する。
【００７６】
上記実施形態では、位置特定モードで、等高線図を作成して出力するものを示したが、放射源の位置情報は等高線図に限定されるものではない。例えば、電界強度差が閾値以上の領域だけを明らかにした位置情報であっても良い。
【００７７】
また、上記実施形態では、測定点探索用画像を表示させた状態での電界強度と、無地画像を表示させた状態での電界強度との差分の等高線図を作成して出力するものを示したが、これに加え、又は、これに代え、測定点探索用画像を表示させた状態での電界強度から等高線図を作成して出力するようにしても良い。
【００７８】
上記実施形態では、カラー用ディスプレイの場合であっても、モノクロ画像を表示するものを示したが、カラー画像を評価に利用するようにしても良い。例えば、３原色信号（ＲＧＢ）に分かれた後の信号を処理する部分からの放射を考慮し、３原色のそれぞれについて、評価を実行するようにしても良い。例えば、赤色成分の処理構成を評価する場合であれば、無地画像として赤色画像を用いると共に、縞画像として、赤色と黒色、若しくは、赤色と白色の縞画像を用いて評価するようにしても良い。
【００７９】
上記実施形態では、評価装置本体が評価し得る評価対象機器の画像構成が１種類のもの（ＸＧＡ）を示したが、複数種類の画面構成のそれぞれを処理する構成を評価装置本体に設け、評価対象機器の種類に応じて、処理構成を選択させて処理するようにしても良い。
【００８０】
上記実施形態では、評価対象機器が図４の全ての機能部を備える場合を示したが、その一部の機能部の処理をオペレータが実行するようにしても良い。例えば、位置特定モード利用周波数決定部２３が実行する処理をオペレータが行うようにしても良く、この場合、オペレータが位置特定モード利用周波数決定部２３に該当することとなる。
【００８１】
上記実施形態では、評価対象機器のディスプレイに無地画像や時間変化画像などを表示させることを評価装置本体が指示するものを示したが、評価対象機器に無地画像や時間変化画像などを格納させ、オペレータが評価対象機器に対して画像表示を起動させ、表示状態の漏洩電磁波をアンテナが捕捉するようにしても良い。
【符号の説明】
【００８２】
１…情報を含んだ漏洩電磁波評価システム、２…情報漏洩の評価対象機器、３…木製の測定台、１０…評価装置本体、１１…指向性アンテナ、１２…アンテナコントローラ、１３…スペクトラムアナライザ、２０…無地画像表示・分析スペクトル取込部、２１…時間変化画像表示・分析スペクトル取込部、２２…スペクトル差分算出部、２３…位置特定モード利用周波数決定部、２４…放射源探索用画像表示部、２５…測定点探索用画像電界強度取得部、２６…無地画像表示部、２７…測定点無地画像電界強度取得部、２８…等高線図作成部、２９…等高線図出力部。
【図１】
2010190708.tif 000003
【図２】
2010190708.tif 000004
【図３】
2010190708.tif 000005
【図４】
2010190708.tif 000006
【図５】
2010190708.tif 000007
【図６】
2010190708.tif 000008
【図７】
2010190708.tif 000009
【図８】
2010190708.tif 000010
【図９】
2010190708.tif 000011
【図１０】
2010190708.tif 000012
【図１１】
2010190708.tif 000013
【図１２】
2010190708.tif 000014
【図１３】
2010190708.tif 000015
【図１４】
2010190708.tif 000016
【図１５】
2010190708.tif 000017
【図１６】
2010190708.tif 000018
【図１７】
2010190708.tif 000019
【図１８】
2010190708.tif 000020